(57)【要約】【課題】液晶表示装置等の表示器の大型化によっても、遊技性の損なわれることのない弾球遊技機を提供する。【解決手段】遊技盤Ａの液晶ユニットＣ１の前面には、透明板ユニットＢ１が設けられ、この透明板ユニットＢ１においては、透明板３０の前面には第１遊技球通過領域Ｒ１が設けられ、該透明板３０の前面には、風車３２ａ、遊技杭３４ａ、入賞口（第１入賞口）３６ａが設けられている。また、同様に、透明板３０の後面には第２遊技球通過領域が設けられ、該透明板３０の後面にも、風車、遊技杭、入賞口３６ａに連設された第２入賞口が設けられている。第２入賞口の下端からは誘導部材が延設されている。飛込み穴２６ａに入った遊技球は第１通過領域Ｒ１に至り、該飛込み穴２６ｂ、２６ｃに入った遊技球は透明板３０の後面の第２通過領域に至る。【選択図】図２
2008272522.tif 000002
【特許請求の範囲】
【請求項１】
弾球遊技機であって、
前面側に遊技杭（１４）が設けられ、開口部（１０）が設けられた遊技盤（Ａ）と、
遊技盤の該開口部の背面側に設けられた表示装置で、前面側に設けられた表示部の表示状態を可変表示する表示装置（４０）と、
該表示部の前面側に設けられた透明板（３０）と、
該透明板の前面側における表示部の前面側の領域に設けられた第１入賞口（３６ａ）と、
該透明板の後面側における表示部の前面側の領域に設けられ、第１入賞口と連設された第２入賞口（３６ｂ）と、
第２入賞口（３６ｂ）の下端に延設され、第１入賞口に入った遊技球及び第２入賞口に入った遊技球を所定の経路に誘導するための誘導部材（３８）と、
を有し、
表示部の前面側に２つの遊技球通過領域で、該透明板の前面側に設けられた第１遊技球通過領域（Ｒ１）と、該透明板の後面側と表示部との間に設けられた第２遊技球通過領域（Ｒ２）とからなる２つの遊技球通過領域が設けられ、
透明板における所定領域で、表示部による可変表示が停止した際の表示領域に対応する領域には、第１入賞口及び第２入賞口が設けられていない非設領域が設けられていることを特徴とする弾球遊技機。
【請求項２】
遊技盤の該開口部には、筒状に形成された枠体で、遊技球を透明板の前面側に導くための穴部（２６ａ）と遊技球を透明板の後面側に導くための穴部（２６ｂ、２６ｃ）とが設けられた枠体（２０）が設けられ、該枠体の内側に該透明板（３０）が設けられていることを特徴とする請求項１に記載の弾球遊技機。
【請求項３】
該第１入賞口と第２入賞口とが、該透明板の下部領域に設けられていることを特徴とする請求項１又は２に記載の弾球遊技機。
【請求項４】
透明板の前面側における表示部の前面側の領域と透明板の後面側における表示部の前面側の領域には遊技杭及び／又は風車が設けられ、該遊技杭及び／又は風車は、可変表示部が停止した際に可変表示部が表示される表示領域に対応する透明板の領域よりも上側に設けられ、また、該第１入賞口及び第２入賞口は、可変表示部が停止した際に可変表示部が表示される表示領域に対応する透明板の領域よりも下側に設けられていることを特徴とする請求項１又は２又は３に記載の弾球遊技機。
【発明の詳細な説明】
【技術分野】
【０００１】
本発明は、弾球遊技機に関するものであり、特に、液晶表示装置を備えた弾球遊技機に関するものである。
【背景技術】
【０００２】
従来より弾球遊技機においては、その遊技盤に、図柄を変動させるための液晶表示盤等の表示器が設けられたものが存在する。この表示器の前面には、変動する図柄を視認するのに支障を来さないためにパチンコ球が通過しないように構成されている。例えば、該表示器の上部に覆いとしての前飾りを設け、パチンコ球が通過しないようにしたり、また、この前飾りに入球口を設け、この入球口に入球したパチンコ球を上記表示器の下方に誘導させたりしている。また、該表示器の前面部分には、遊技杭、風車、入賞口等は設けられていないのが一般的である。
【０００３】
なお、出願人は、本出願の基礎となる原出願の出願時において、先行技術文献の調査は行っておらず、記載すべき先行技術文献は存在しない。
【発明の開示】
【発明が解決しようとする課題】
【０００４】
しかし、近年、表示器の大型化が進み、結果として、遊技性が損なわれることとなっている。つまり、表示器の大型化のため、遊技盤において、パチンコ球が動く領域が狭くなり、また、表示器が大型化することから、遊技杭、風車、入賞口等を設けられる面積が小さくなり、遊技盤に設けられる遊技杭、風車、入賞口等が少なくなる。
【０００５】
そこで、本発明は、表示器の大型化によっても、遊技性の損なわれることのない弾球遊技機を提供することを目的とするものである。
【課題を解決するための手段】
【０００６】
本発明は上記問題点を解決するために創作されたものであって、第１には、弾球遊技機であって、前面側に遊技杭（１４）が設けられ、開口部（１０）が設けられた遊技盤（Ａ）と、遊技盤の該開口部の背面側に設けられた表示装置で、前面側に設けられた表示部の表示状態を可変表示する表示装置（４０）と、該表示部の前面側に設けられた透明板（３０）と、該透明板の前面側における表示部の前面側の領域に設けられた第１入賞口（３６ａ）と、該透明板の後面側における表示部の前面側の領域に設けられ、第１入賞口と連設された第２入賞口（３６ｂ）と、第２入賞口（３６ｂ）の下端に延設され、第１入賞口に入った遊技球及び第２入賞口に入った遊技球を所定の経路に誘導するための誘導部材（３８）と、を有し、表示部の前面側に２つの遊技球通過領域で、該透明板の前面側に設けられた第１遊技球通過領域（Ｒ１）と、該透明板の後面側と表示部との間に設けられた第２遊技球通過領域（Ｒ２）とからなる２つの遊技球通過領域が設けられ、透明板における所定領域で、表示部による可変表示が停止した際の表示領域に対応する領域には、第１入賞口及び第２入賞口が設けられていない非設領域が設けられていることを特徴とする。
【０００７】
この第１の構成の弾球遊技機においては、表示装置における表示部の前面にも入賞口が設けられているので、遊技性が損なわれることがない。よって、表示部の大型化によっても遊技性が損なわれることがない。
【０００８】
また、第２には、上記第１の構成において、遊技盤の該開口部には、筒状に形成された枠体で、遊技球を透明板の前面側に導くための穴部（２６ａ）と遊技球を透明板の後面側に導くための穴部（２６ｂ、２６ｃ）とが設けられた枠体（２０）が設けられ、該枠体の内側に該透明板（３０）が設けられていることを特徴とする。
【０００９】
また、第３には、上記第１又は第２の構成において、該第１入賞口と第２入賞口とが、該透明板の下部領域に設けられていることを特徴とする。
【００１０】
また、第４には、上記第１から第３までのいずれかの構成において、透明板の前面側における表示部の前面側の領域と透明板の後面側における表示部の前面側の領域には遊技杭及び／又は風車が設けられ、該遊技杭及び／又は風車は、可変表示部が停止した際に可変表示部が表示される表示領域に対応する透明板の領域よりも上側に設けられ、また、該第１入賞口及び第２入賞口は、可変表示部が停止した際に可変表示部が表示される表示領域に対応する透明板の領域よりも下側に設けられていることを特徴とする。
【００１１】
なお、以下の構成としてもよい。すなわち、第５には、表示部の表示状態を可変表示可能な表示装置を備えた弾球遊技機であって、該表示部の前面側に透明部材が設けられ、該透明部材には、入賞口と遊技杭とが設けられていることを特徴とする。
【００１２】
この第５の構成の弾球遊技機においては、表示装置における表示部の前面にも入賞口や遊技杭が設けられているので、遊技性が損なわれることがない。よって、表示部の大型化によっても遊技性が損なわれることがない。
【００１３】
また、第６には、上記第５の構成において、上記入賞口が、上記透明部材の下部に設けられていることを特徴とする。
【００１４】
また、第７には、上記第５又は第６の構成において、上記遊技杭は、可変表示部が停止した際に可変表示部が表示される表示領域に対応する透明部材の領域よりも上側に設けられ、また、上記入賞口は、可変表示部が停止した際に可変表示部が表示される表示領域に対応する透明部材の領域よりも下側に設けられていることを特徴とする。
【００１５】
また、第８には、上記第５から第７までのいずれかの構成において、上記透明部材には風車が設けられ、上記遊技杭と風車とは、可変表示部が停止した際に可変表示部が表示される表示領域に対応する透明部材の領域よりも上側に設けられ、また、上記入賞口は、可変表示部が停止した際に可変表示部が表示される表示領域に対応する透明部材の領域よりも下側に設けられていることを特徴とする。
【００１６】
また、以下の構成としてもよい。すなわち、第９には、表示部の表示状態を可変表示可能な表示装置を備えた弾球遊技機であって、該表示部の前面側に、複数の遊技球通過領域であって、前後に配置された遊技球通過領域が設けられていることを特徴とする。
【００１７】
この第９の構成の弾球遊技機においては、表示部の前面側に、前後位置に設けられた複数の遊技球通過領域が設けられているので、遊技性を向上させることができる。また、表示部の前面側にも遊技球通過領域が設けられるので、表示部の大型化によっても、遊技性が損なわれることがない。
【００１８】
また、第１０には、上記第９の構成において、上記表示部の前面側に、透明部材が設けられ、該透明部材の前面側と後面側とに遊技球通過領域が設けられていることを特徴とする。よって、表示部の視認性が損なわれることがない。
【００１９】
また、第１１には、上記第１０の構成において、上記透明部材の所定領域で、可変表示部が停止した際の表示領域に対応する領域には、遊技杭、風車、入賞口を含む付設部材が設けられていない非設領域が設けられていることを特徴とする。よって、可変表示部が停止した場合に、該停止した可変表示部の視認性を損なうことがない。
【００２０】
また、第１２には、上記第１０の構成において、上記透明部材が、弾球遊技機に設けられた遊技盤の前面側と略同一面上に設けられていることを特徴とする。よって、遊技球の移動を円滑に行うことができる。
【００２１】
また、第１３には、上記第９から第１２までのいずれかの構成において、各遊技球通過領域には、付設部材が設けられていることを特徴とする。よって、遊技杭、風車、入賞口等の付設部材を設けることによってより遊技性を向上させることができる。
【００２２】
また、第１４には、上記第９から第１３までのいずれかの構成において、上記付設部材は、遊技杭、風車、入賞口のいずれか又は任意の組合せからなることを特徴とする。
【００２３】
また、第１５には、表示部の表示状態を可変表示可能な表示装置を備えた弾球遊技機であって、該表示部の前面側に透明部材が設けられ、該透明部材には、入賞口が設けられていることを特徴とする。よって、表示部の大型化によっても、遊技球の移動領域が削減されず、また、上記透明部材に入賞口が設けられているので、遊技性が損なわれることがない。
【発明の効果】
【００２４】
本発明に基づく弾球遊技機によれば、表示装置における表示部の前面にも入賞口や遊技杭が設けられているので、遊技性が損なわれることがない。よって、表示部の大型化によっても遊技性が損なわれることがない。
【発明を実施するための最良の形態】
【００２５】
本発明においては、表示器の大型化によっても、遊技性の損なわれることのない弾球遊技機を提供するという目的を以下のようにして実現した。
【実施例１】
【００２６】
本発明の実施の形態としての実施例を図面を利用して説明する。なお、図２、図５、図７、図９において、手前側を前面側、奥側を後面側として説明する。
【００２７】
図１、図２に示すように実施例１（第１実施例）の弾球遊技機Ｐにおいては、遊技盤Ａに、透明板ユニットＢ１と、液晶ユニットＣ１とが設けられている。
【００２８】
ここで、上記遊技盤Ａは、略長方形状の外形を呈し、遊技杭１４が設けられている。さらに、この遊技盤Ａには、開口部１０が設けられている。この開口部１０は、上記透明板ユニットＢ１の外形に合わせて形成されている。また、この遊技盤Ａには、開口部１０の下部に穴部１２が設けられている。この穴部１２は、後述する第２通過領域Ｒ２を通過した遊技球を遊技盤の前面に排出するためのものである。また、遊技盤Ａの該穴部１２の後面には、図４に示すように、ガイド部材１３が設けられ、透明板３０の後面側の第２通過領域Ｒ２を落下し、後面枠部２４の開口部２８ｂに達した遊技球を穴部１２に誘導するようになっている。
【００２９】
次に、透明板ユニットＢ１は、図２、図３、図４に示すように、枠体２０、透明板３０、風車３２ａ、３２ｂ、遊技杭３４ａ、３４ｂ、入賞口３６ａ、３６ｂ等が設けられている。
【００３０】
ここで、上記枠体２０は、内部に中空部を有する略筒状に形成され、枠体２０の前面を形成する前面枠部２２と枠体２０の後面を形成する後面枠部２４とを有し、該前面枠部２２と後面枠部２４とは一体に形成されている。この前面枠部２２と後面枠部２４はともに三角屋根状の上部と左右の側壁部と底部とにより構成され、上部については、前面枠部２２の方が高く形成されている。また、この前面枠部２２と後面枠部２４の底部には、それぞれ遊技球を排出するための開口部２８ａ、２８ｂが設けられている（図２、図３参照）。なお、該底部の上面部分は、遊技球が開口部２８ａ、２８ｂに転がるように若干傾斜して構成されている。また、該枠体２０の内壁には、その内周線に沿った略中間位置に透明板３０をはめ込むための溝部が形成されている。
【００３１】
また、上記前面枠部２２の上部には、飛込み穴２６ａ、２６ｂ、２６ｃが設けられている。この飛込み穴２６ａは連通穴を介して上記透明板３０の前面側に連通し、該飛込み穴２６ａに入った遊技球は透明板３０の前面側に誘導される。一方、飛込み穴２６ｂ、２６ｃは連通穴を介して上記透明板３０の後面側に連通し、該飛込み穴２６ｂ、２６ｃに入った遊技球は透明板３０の後面側に誘導される。
【００３２】
また、上記透明板３０は、上記枠体２０の内周と略同様の形状を呈し、該枠体２０の内側に取り付けられている。この透明板３０においては、組立て状態では、該透明板３０の前面側の面は遊技盤Ａの前面側の面と略面一、すなわち、略同一面状となるようになっている。この点は、下記の実施例においても同様である。
【００３３】
また、この透明板３０の前面側には、風車３２ａ、遊技杭３４ａ、入賞口３６ａ等が設けられている。つまり、本実施例では、透明板３０の前面上部には、風車３２ａ、遊技杭３４ａが設けられ、該透明板３０の前面下部には、入賞口３６ａが設けられている。ここで、遊技杭３４ａの形成の方法としては、透明板３０とは異種の材質の遊技杭をインサート成形等により一体に成型する方法、透明板３０と同種の材質の遊技杭をインサート成形等により一体に成型する方法、透明板３０にピン穴を開けて遊技杭を取り付ける方法が考えられる。入賞口についても上記と同様の形成方法が考えられる。
【００３４】
なお、上記透明板３０の略中央付近には、上記風車、遊技杭、入賞口等は設けられていない。つまり、この透明板３０の略中央付近は、複数の可変表示部が停止した際に表示される領域であるため、表示の邪魔にならないように遊技杭等の部材は設けられていない。つまり、この遊技杭等が設けられていない領域が非設領域となる。この図１、図２、図３においては、透明板３０に示された二点鎖線で示す領域が可変表示部が停止した場合の表示領域となる。
【００３５】
また、透明板３０の後面にも、同様に、風車３２ｂ、遊技杭３４ｂ、入賞口３６ｂが設けられている。つまり、透明板３０の上部には、風車３２ｂ（図３参照）と、遊技杭３４ｂが設けられ、また、透明板３０の下部には、入賞口３６ｂが設けられている。この入賞口３６ｂは、ガイド部材３７の上端に設けられ、該ガイド部材３７は、該入賞口３６ｂの下端に一体に延設される誘導部材３８をも有している。この入賞口３６ｂに入った遊技球は賞球を排出するための所定の経路に誘導されることになる。なお、図４に示すように、入賞口３６ａと入賞口３６ｂとは連設されている。
【００３６】
なお、上記風車３２ａ、３２ｂ、遊技杭３４ａ、３４ｂ、入賞口３６ａ、３６ｂが上記付設部材として機能する。
【００３７】
また、液晶ユニットＣ１は、図２に示すように、上記表示装置としての表示装置本体４０と、透明板３９とを有している。該表示装置本体４０には、複数の可変表示部を含む各種図柄が表示される。また、透明板３９は、上記枠体２０における後面枠部２４の後面の開口部を塞ぐ形状と大きさを有している。この表示装置本体４０の前面側には、表示状態を可変表示可能な表示部が設けられている。
【００３８】
上記透明板ユニットＢ１は、図示しない取付具により遊技盤Ａに取り付けられ、また、液晶ユニットＣ１は図示しない取付具により該透明板ユニットＢ１に取り付けられている。なお、液晶ユニットＣ１は、遊技盤Ａに取り付けるようにしてもよい。上記透明板３０の前面側に、遊技球通過領域としての第１通過領域Ｒ１が形成され、上記透明板３０の後面側に、遊技球通過領域としての第２通過領域Ｒ２が形成される。
【００３９】
なお、上記風車、遊技杭、入賞口等は、樹脂製や金属製のいずれでもよいが、表示装置本体４０の表示部の視認性を損なわないため透明部材により形成されるのが好ましい。
【００４０】
本実施例の弾球遊技機Ｐの動作について説明する。
【００４１】
発射装置（図示せず）により発射された遊技球は、飛込み穴２６ａに入ると、透明板３０の前面の第１通過領域Ｒ１に至り、風車３２ａ、遊技杭３４ａに接しながら落下する。そして、開口部２８ａに達すると、遊技盤Ａの前面に至ることになる。一方、開口部２８ａには達せずに入賞口３６ａに入った遊技球は、誘導部材３８に誘導される。
【００４２】
一方、飛込み穴２６ｂ又は飛込み穴２６ｃに入った遊技球は、透明板３０の後面の第２通過領域Ｒ２に誘導され、風車３２ｂ、遊技杭３４ｂに接しながら落下する。そして、開口部２８ｂに達すると、ガイド部材１３により穴部１２から遊技盤Ａの前面に至ることになる。一方、開口部２８ｂには達せずに入賞口３６ｂに入った遊技球は、誘導部材３８に誘導される。
【００４３】
以上のように、本実施例の弾球遊技機Ｐによれば、液晶ユニットの前面の部分にも遊技杭、風車、入賞口が設けられているので、遊技性が損なわれることがない。なお、表示装置本体４０の複数の可変表示部が停止する部分には、上記遊技杭等が設けられていないので、表示の邪魔になることがない。また、特に、本実施例の弾球遊技機Ｐにおいては、液晶ユニットの前面位置に第１通過領域Ｒ１と第２通過領域Ｒ２の２つの通過領域が設けられており、各通過領域には、遊技杭、風車、入賞口が設けられているので、より遊技性が向上することになる。
【実施例２】
【００４４】
次に、実施例２（第２実施例）における弾球遊技機について説明する。実施例２における弾球遊技機は上記実施例１の弾球遊技機と略同様の構成であるが、透明板ユニットと液晶ユニットの構成が異なる。
【００４５】
すなわち、実施例２の弾球遊技機においては、図５、図６に示すように、遊技盤Ａと、透明板ユニットＢ２と、液晶ユニットＣ２とが設けられている。
【００４６】
ここで、上記遊技盤Ａは、上記実施例１の場合と同様に構成され、略長方形状の外形を呈し、遊技杭１４等が設けられ、開口部１０が設けられている。この遊技盤Ａには、開口部１０の下部には、後述する第２通過領域Ｒ２を通過した遊技球を遊技盤の前面に排出するための穴部１２が設けられている。また、遊技盤Ａの該穴部１２の後面には、図６に示すように、ガイド部材１３が設けられている。
【００４７】
また、上記透明板ユニットＢ２は、図５に示すように、枠体２１、透明板３０、風車３２ａ、遊技杭３４ａ、入賞口３６ａ等が設けられている。
【００４８】
ここで、上記枠体２１は、内部に中空部を有する略筒状に形成され、上部と左右の側壁部と底部とにより構成され、上部は三角屋根状に傾斜して形成されている。つまり、この枠体２１は、上記実施例１の枠体２０の前面枠部２２の部分と略同様の形状を呈している。また、この枠体２１の下端には、遊技球を排出するための開口部２８ａ設けられている（図５、図６参照）。
【００４９】
また、上記枠体２１の上部には、飛込み穴２６ａ、２６ｂ、２６ｃが設けられている。この飛込み穴２６ａは上記透明板３０の前面側に連通し、該飛込み穴２６ａに入った遊技球は透明板３０の前面側に誘導される。一方、飛込み穴２６ｂ、２６ｃは上記透明板３０の後面側に連通し、該飛込み穴２６ｂ、２６ｃに入った遊技球は透明板３０の後面側に誘導されるようになっている。
【００５０】
また、上記透明板３０は、上記枠体２１の外周と略同様の形状を呈し、該枠体２１の後面に取り付けられている。この透明板３０の前面側には、風車３２ａ、遊技杭３４ａ、入賞口３６ａ等が設けられている。つまり、透明板３０の前面上部には、風車３２ａ、遊技杭３４ａが設けられ、該透明板３０の前面下部には、入賞口３６ａが設けられている。この透明板３０は枠体２１に対して接着又はネジ着等により固定されている。
【００５１】
なお、上記透明板３０の略中央付近は、複数の可変表示部が停止した際に表示される領域であるため、上記風車、遊技杭、入賞口等は設けられていない。つまり、この透明板３０の略中央付近は、複数の可変表示部が停止した際に表示される領域であるため、表示の邪魔にならないように遊技杭等の部材は設けられていない。この図５においても、透明板３０に示された二点鎖線に示す領域が可変表示部が停止した場合の表示領域となる。
【００５２】
なお、本実施例においては、該透明板３０の後面には、遊技杭、風車、入賞口等は設けられていない。
【００５３】
また、液晶ユニットＣ２は、図５に示すように、表示装置本体４０と、透明板ユニット４１とを有している。この表示装置本体４０には、複数の可変表示部を含む各種図柄が表示される。また、該透明板ユニット４１は、枠体４２と、透明板４４と、風車３２ｂ、遊技杭３４ｂ、入賞口３６ｂ等が設けられている。
【００５４】
上記枠体４２は、内部に中空部を有する略筒状に形成され、上部と左右の側壁部と底部とにより構成され、上部は三角屋根状に傾斜して形成されている。つまり、この枠体４２は、上記実施例１の枠体２０の後面枠部２４の部分と略同様の形状を呈している。また、この枠体４２の下端には、遊技球を排出するための開口部２８ｂ設けられている（図５、図６参照）。また、該枠体４２の後面側には、透明板４４が取り付けられている。
【００５５】
透明板４４の前面には、風車３２ｂ、遊技杭３４ｂ、入賞口３６ｂが設けられている。つまり、透明板４４の上部には、風車３２ｂ（図６参照）と、遊技杭３４ｂが設けられ、また、透明板３０の下部には、入賞口３６ｂが設けられている。この入賞口３６ｂは、ガイド部材３７の上端に設けられ、該ガイド部材３７は、該入賞口３６ｂの下端に一体に延設される誘導部材３８をも有している。なお、図５、図６に示すように、入賞口３６ａと入賞口３６ｂとは組立て時に連設するように構成されている。
【００５６】
上記透明板ユニットＢ２は、図示しない取付具により遊技盤Ａに取り付けられ、また、液晶ユニットＣ２は図示しない取付具により該透明板ユニットＢ２又は遊技盤Ａにに取り付けられている。上記透明板３０の前面側に、遊技球通過領域としての第１通過領域Ｒ１が形成され、上記透明板３０の後面側に、遊技球通過領域としての第２通過領域Ｒ２が形成される。
【００５７】
本実施例の弾球遊技機の動作について説明する。本実施例における弾球遊技機の動作は上記実施例１の場合と同様である。つまり、発射装置（図示せず）により発射された遊技球は、飛込み穴２６ａに入ると、透明板３０の前面の第１通過領域Ｒ１に至り、風車３２ａ、遊技杭３４ａに接しながら落下する。そして、開口部２８ａに達すると、遊技盤Ａの前面に至ることになる。一方、開口部２８ａには達せずに入賞口３６ａに入った遊技球は、入賞口３６ｂを経て誘導部材３８に誘導される。
【００５８】
一方、飛込み穴２６ｂ又は飛込み穴２６ｃに入った遊技球は、透明板３０の後面の第２通過領域Ｒ２に誘導され、風車３２ｂ、遊技杭３４ｂに接しながら落下する。そして、開口部２８ｂに達すると、ガイド部材１３により穴部１２から遊技盤Ａの前面に至ることになる。一方、開口部２８ｂには達せずに入賞口３６ｂに入った遊技球は、誘導部材３８に誘導される。
【００５９】
以上のように、本実施例の弾球遊技機Ｐによれば、液晶ユニットの前面の部分にも遊技杭、風車、入賞口が設けられているので、遊技性が損なわれることがない。なお、表示装置本体４０の複数の可変表示部が停止する部分には、上記遊技杭等が設けられていないので、表示の邪魔になることがない。また、特に、本実施例の弾球遊技機Ｐにおいては、液晶ユニットの前面位置に第１通過領域Ｒ１と第２通過領域Ｒ２の２つの通過領域が設けられており、各通過領域には、遊技杭、風車、入賞口が設けられているので、より遊技性が向上することになる。
【実施例３】
【００６０】
次に、実施例３（第３実施例）における弾球遊技機について説明する。実施例３における弾球遊技機は上記実施例１、実施例２の弾球遊技機と略同様の構成であるが、透明板ユニットと液晶ユニットの構成が異なる。
【００６１】
すなわち、実施例３の弾球遊技機においては、図７、図８に示すように、遊技盤Ａと、枠体Ｂ３と、液晶ユニットＣ３とが設けられている。
【００６２】
ここで、上記遊技盤Ａは、上記実施例１、実施例２の場合と同様に構成され、略長方形状の外形を呈し、遊技杭１４等が設けられ、開口部１０が設けられている。この遊技盤Ａには、開口部１０の下部には、後述する第２通過領域Ｒ２を通過した遊技球を遊技盤の前面に排出するための穴部１２が設けられている。また、遊技盤Ａの該穴部１２の後面には、ガイド部材１３が設けられている。
【００６３】
また、上記枠体Ｂ３は、図７に示すように、内部に中空部を有する略筒状に形成され、上部と左右の側壁部と底部とにより構成され、上部は三角屋根状に傾斜して形成されている。つまり、この枠体Ｂ３は、上記実施例１の枠体２０の前面枠部２２の部分と略同様の形状を呈している。また、この枠体Ｂ３の下端には、遊技球を排出するための開口部２８ａが設けられている（図７参照）。
【００６４】
また、上記枠体２１の上部には、飛込み穴２６ａ、２６ｂ、２６ｃが設けられている。この飛込み穴２６ａは上記枠体Ｂ２で囲まれる第１通過領域Ｒ１（図８参照）に連通し、該飛込み穴２６ａに入った遊技球は透明板３０の前面側に誘導される。一方、飛込み穴２６ｂ、２６ｃは上記透明板３０の後面側に連通し、該飛込み穴２６ｂ、２６ｃに入った遊技球は透明板３０の後面側の第２通過領域Ｒ２に誘導されるようになっている。
【００６５】
また、液晶ユニットＣ３は、図７、図８に示すように、表示装置本体４０と、透明板ユニット４１’とを有している。この表示装置本体４０には、複数の可変表示部を含む各種図柄が表示される。また、該透明板ユニット４１’は、枠体４２と、透明板３０と、風車３２ａ、３２ｂ、遊技杭３４ａ、３４ｂ、入賞口３６ａ、３６ｂ、透明板４４等が設けられている。
【００６６】
上記枠体４２は、内部に中空部を有する略筒状に形成され、上部と左右の側壁部と底部とにより構成され、上部は三角屋根状に傾斜して形成されている。つまり、この枠体４２は、上記実施例１の枠体２０の後面枠部２４の部分と略同様の形状を呈している。また、この枠体４２の下端には、遊技球を排出するための開口部２８ｂが設けられている。また、該枠体４２の前面側には、透明板３０が取り付けられている。
【００６７】
そして、この透明板３０の前面側には、風車３２ａ、遊技杭３４ａ、入賞口３６ａ等が設けられている。つまり、透明板３０の前面上部には、風車３２ａ、遊技杭３４ａが設けられ、該透明板３０の前面下部には、入賞口３６ａが設けられている。
【００６８】
なお、上記透明板３０の略中央付近は、複数の可変表示部が停止した際に表示される領域であるため、上記風車、遊技杭、入賞口等は設けられていない。つまり、この透明板３０の略中央付近は、複数の可変表示部が停止した際に表示される領域であるため、表示の邪魔にならないように遊技杭等の部材は設けられていない。この図５においても、透明板３０に示された二点鎖線に示す領域が可変表示部が停止した場合の表示領域となる。
【００６９】
また、透明板３０の後面にも、風車３２ｂ、遊技杭３４ｂ、入賞口３６ｂが設けられている。つまり、透明板３０の上部には、風車３２ｂ（図８参照）と、遊技杭３４ｂが設けられ、また、透明板３０の下部には、入賞口３６ｂが設けられている。この入賞口３６ｂは、ガイド部材３７の上端に設けられ、該ガイド部材３７は、該入賞口３６ｂの下端に一体に延設される誘導部材３８をも有している。なお、図８に示すように、入賞口３６ａと入賞口３６ｂとは連設するように構成されている。
【００７０】
上記枠体Ｂ３は、図示しない取付具により遊技盤Ａに取り付けられ、また、液晶ユニットＣ３は図示しない取付具により遊技盤Ａに取り付けられている。上記透明板３０の前面側には、遊技球通過領域としての第１通過領域Ｒ１が形成され、上記透明板３０の後面側には、遊技球通過領域としての第２通過領域Ｒ２が形成される。
【００７１】
本実施例の弾球遊技機の動作について説明する。本実施例における弾球遊技機の動作は上記実施例１の場合と同様である。つまり、発射装置（図示せず）により発射された遊技球は、飛込み穴２６ａに入ると、透明板３０の前面の第１通過領域Ｒ１に至り、風車３２ａ、遊技杭３４ａに接しながら落下する。そして、開口部２８ａに達すると、遊技盤Ａの前面に至ることになる。一方、開口部２８ａには達せずに入賞口３６ａに入った遊技球は、誘導部材３８に誘導される。
【００７２】
一方、飛込み穴２６ｂ又は飛込み穴２６ｃに入った遊技球は、透明板３０の後面の第２通過領域Ｒ２に誘導され、風車３２ｂ、遊技杭３４ｂに接しながら落下する。そして、開口部２８ｂに達すると、ガイド部材１３により穴部１２から遊技盤Ａの前面に至ることになる。一方、開口部２８ｂには達せずに入賞口３６ｂに入った遊技球は、誘導部材３８に誘導される。
【００７３】
以上のように、本実施例の弾球遊技機Ｐによれば、液晶ユニットの前面の部分にも遊技杭、風車、入賞口が設けられているので、遊技性が損なわれることがない。なお、表示装置本体４０の複数の可変表示部が停止する部分には、上記遊技杭等が設けられていないので、表示の邪魔になることがない。また、特に、本実施例の弾球遊技機Ｐにおいては、液晶ユニットの前面位置に第１通過領域Ｒ１と第２通過領域Ｒ２の２つの通過領域が設けられており、各通過領域には、遊技杭、風車、入賞口が設けられているので、より遊技性が向上することになる。
【実施例４】
【００７４】
なお、上記実施例１から実施例３においては液晶ユニットと透明板ユニット（又は枠体）とを別体として構成するものとして説明したが、図９に示すように一体として構成してもよい。
【００７５】
つまり、図９に示す実施例４（第４実施例）の弾球遊技機においては、ユニットＴは、上記実施例１の透明板ユニットＢ１と液晶ユニットＣ１とを一体に構成したもので、図９に示すように、透明板ユニットＢ１と液晶ユニットＣ１とを有している。このユニットＴは、実施例１の透明板ユニットＢ１に液晶ユニットＣ１とを予め一体に形成したものである。つまり、両者を図示しない取付具により一体化しておく。
【００７６】
なお、上記各実施例において、各通過領域に入賞口を設けるものとして説明したが、入賞口ではなく、アタッカー、チューリップ、飛込み穴等であってもよい。
【００７７】
また、上記透明部材３０は、板状でなくても、凹凸状、曲面状であってもよい。
【００７８】
また、表示装置本体４０は、液晶表示装置でなくても、発光ダイオードを用いるものであってもよい。
【図面の簡単な説明】
【００７９】
【図１】本発明の実施例に基づく弾球遊技機の正面図である。
【図２】実施例１における遊技盤と、透明板ユニットと、液晶ユニットの構成を示す分解斜視図である。
【図３】透明板を斜め後方から視認した状態を示す斜視図である。
【図４】実施例１における弾球遊技機の要部断面図である。
【図５】実施例２における遊技盤と、透明板ユニットと、液晶ユニットの構成を示す分解斜視図である。
【図６】実施例２における弾球遊技機の要部断面図である。
【図７】実施例３における遊技盤と、透明板ユニットと、液晶ユニットの構成を示す分解斜視図である。
【図８】実施例３における弾球遊技機の要部断面図である。
【図９】実施例４における遊技盤と、透明板ユニットと、液晶ユニットの構成を示す分解斜視図である。
【図１０】実施例４における弾球遊技機の要部断面図である。
【符号の説明】
【００８０】
Ｐ 弾球遊技機
Ａ 遊技盤
Ｂ１、Ｂ２ 透明板ユニット
Ｂ３ 枠体
Ｃ１、Ｃ２、Ｃ３ 液晶ユニット
２０、２１ 枠体
２６ａ、２６ｂ、２６ｃ 飛込み穴
３０、４２ 透明板
Ｒ１ 第１通過領域
Ｒ２ 第２通過領域
３２ａ、３２ｂ 風車
３４ａ、３４ｂ 遊技杭
３６ａ、３６ｂ 入賞口
４０ 表示装置本体
【図１】
2008272522.tif 000003
【図２】
2008272522.tif 000004
【図３】
2008272522.tif 000005
【図４】
2008272522.tif 000006
【図５】
2008272522.tif 000007
【図６】
2008272522.tif 000008
【図７】
2008272522.tif 000009
【図８】
2008272522.tif 000010
【図９】
2008272522.tif 000011
【図１０】
2008272522.tif 000012